(57)【要約】【課題】携帯機器の使用時に携帯機器の落下を有効に防止する。【解決手段】ループ状の長尺ひも部１の端部に樹脂からなる止部２を設け、止部２にループ状の取付ひも部３を取り付け、長尺ひも部１、止部２および取付ひも部３からなるストラップ本体４に金属からなりかつ断面が円形の円形リング５を取り付ける。すなわち、長尺ひも部１の端部の輪部にストラップ本体４を円形リング５の一部を巻いた状態で取付ひも部３側から通すことにより、長尺ひも部１に円形リング５を取り付ける。【選択図】　　　　図１
2004105420.tif 000002
【特許請求の範囲】
【請求項１】
携帯機器に取り付ける携帯機器用ストラップにおいて、ストラップ本体の端部にリングを取り付けたことを特徴とする携帯機器用ストラップ。
【発明の詳細な説明】
【０００１】
【発明の属する技術分野】
本発明は携帯電話、デジタルカメラ等の携帯機器に取り付ける携帯機器用ストラップに関するものである。
【０００２】
【従来の技術】
従来の携帯機器用ストラップとしては、ループ状の長尺ひも部の端部に樹脂からなる止部が設けられ、止部にループ状の取付ひも部が取り付けられたものがある。
【０００３】
このような携帯機器用ストラップにおいては、携帯機器のストラップ取付部に取付ひも部を取り付け、携帯機器の使用時には指などに長尺ひも部を引掛けて係合して使用する。
【０００４】
【発明が解決しようとする課題】
しかし、このような携帯機器用ストラップにおいては、携帯機器の操作が非常に複雑になってきているから、携帯機器の使用時に手から携帯機器がすべり落ちることがあり、このような場合には指等から長尺ひも部が外れて、携帯機器の使用時に携帯機器を落下させてしまうことがある。
【０００５】
本発明は上述の課題を解決するためになされたもので、携帯機器の使用時に携帯機器の落下を有効に防止することができる携帯機器用ストラップを提供することを目的とする。
【０００６】
【課題を解決するための手段】
この目的を達成するため、本発明においては、携帯機器に取り付ける携帯機器用ストラップにおいて、ストラップ本体の端部にリングを取り付ける。
【０００７】
【発明の実施の形態】
図１は本発明に係る携帯機器用ストラップを示す一部省略図である。図に示すように、ループ状の長尺ひも部１の端部に樹脂からなる止部２が設けられ、止部２にループ状の取付ひも部３が取り付けられ、長尺ひも部１、止部２および取付ひも部３によりストラップ本体４が構成されている。また、ストラップ本体４に金属からなりかつ断面が円形の円形リング５が取り付けられている。すなわち、長尺ひも部１の端部の輪部にストラップ本体４を円形リング５の一部を巻いた状態で取付ひも部３側から通すことにより、長尺ひも部１に円形リング５が取り付けられている。
【０００８】
図２は図１に示した携帯機器用ストラップを携帯電話に取り付けた状態を示す概略図である。図に示すように、携帯電話１１のストラップ取付部（図示せず）に取付ひも部３が取り付けられている。そして、携帯電話１１の使用時には円形リング５内に指たとえば小指を入れて使用する。
【０００９】
図３は図１に示した携帯機器用ストラップをデジタルカメラに取り付けた状態を示す概略図である。図に示すように、デジタルカメラ１２のストラップ取付部（図示せず）に取付ひも部３が取り付けられている。そして、デジタルカメラ１２の使用時には円形リング５内に指たとえば小指を入れて使用する。
【００１０】
このような携帯機器用ストラップにおいては、携帯電話１１、デジタルカメラ１２等の携帯機器の使用時に手から携帯機器がすべり落ちたとき、反射的に指が曲がるので、指から円形リング５が外れることがないから、携帯機器の使用時に携帯機器の落下を有効に防止することができる。このため、高価な携帯機器が損傷するのを防止することができるとともに、携帯機器に記憶されていた電子データを損失することがない。また、携帯機器の使用時に円形リング５内に指を入れればよいから、簡単でかつ便利である。さらに、最近においては、携帯機器の使用時間が長くなっているが、長時間携帯機器を使用する場合にも、携帯機器の落下を心配しないで安心感をもって携帯機器を使用することができるから、携帯機器を自由に使いこなすことができる。また、携帯機器の使用時に円形リング５内に常時同じ指を入れるようにすれば、肥満したか否かを知ることができ、健康管理に役立てることができる。また、断面が円形の円形リング５を用いているから、円形リング５内に容易に指を入れることができる。
【００１１】
図４は本発明に係る他の携帯機器用ストラップを示す一部省略図である。図に示すように、ループ状の長尺ひも部２１の一方の端部に樹脂からなる止部２２が設けられ、止部２２にループ状の取付ひも部２３が取り付けられ、長尺ひも部２１の他方の端部に樹脂からなる止部２４が設けられ、止部２４にループ状の取付ひも部２５が取り付けられ、長尺ひも部２１、止部２２、取付ひも部２３、止部２４および取付ひも部２５によりストラップ本体２６が構成されている。また、ストラップ本体２６に金属からなりかつ断面が円形の円形リング２７が取り付けられている。すなわち、円形リング２７の外側にループ状の取付部２８が設けられ、取付ひも部２５の端部の輪部にストラップ本体２６を取付部２８の一部を巻いた状態で取付ひも部２３側から通すことにより、取付ひも部２５に円形リング２７が取り付けられている。
【００１２】
このような携帯機器用ストラップにおいても、携帯機器の使用時に円形リング２７内に指たとえば小指を入れて使用すれば、携帯機器の使用時に手から携帯機器がすべり落ちたとしても、携帯機器の落下を有効に防止することができる。
【００１３】
図５は本発明に係る他の携帯機器用ストラップに使用するリングを示す図で、（ａ）は平面図、（ｂ）は一部切断正面図である。図に示すように、金属からなりかつ断面が円形の一部を切り取った形状の長尺材３１が円形状に巻かれており、円形リング３２を構成している。
【００１４】
図６は本発明に係る他の携帯機器用ストラップに使用するリングを示す図で、（ａ）は平面図、（ｂ）は正断面図である。図に示すように、金属からなりかつ断面が長方形の円形リング４１の外側にループ状の取付部４２が設けられている。
【００１５】
このようなリングにおいては、円形リング４１の外側に図形、文字等を記載し、または円形リング４１の外側に宝石等を鏤めれば、アクセサリー的であり、またセンスがよくなる。
【００１６】
なお、上述実施の形態においては、リングとして円形リング５、２７、３２、４１を用いたが、楕円形リング等を用いてもよい。また、上述実施の形態においては、断面が円形の円形リング５、２７を用いたが、断面がほぼ矩形のリングを用いてもよく、この場合にはリングが指から抜けにくくなるから、携帯機器の落下をより有効に防止することができる。また、上述実施の形態においては、金属からなる円形リング５、２７、３２、４１を用いたが、樹脂からなるリングを用いてもよく、この場合には製造コストが安価になる。また、上述実施の形態においては、長尺ひも部１、２１を有するストラップ本体４、２６を用いたが、鎖を有するストラップ本体を用いてもよい。また、貴金属からなるリング、宝石等を鏤めたリングを用いてもよく、この場合にはアクセサリー的であり、またセンスがよくなる。
【００１７】
【発明の効果】
本発明に係る携帯機器用ストラップにおいては、携帯機器の使用時に携帯機器の落下を有効に防止することができる。
【図面の簡単な説明】
【図１】本発明に係る携帯機器用ストラップを示す一部省略図である。
【図２】図１に示した携帯機器用ストラップを携帯電話に取り付けた状態を示す概略図である。
【図３】図１に示した携帯機器用ストラップをデジタルカメラに取り付けた状態を示す概略図である。
【図４】本発明に係る他の携帯機器用ストラップを示す一部省略図である。
【図５】本発明に係る他の携帯機器用ストラップに使用するリングを示す図である。
【図６】本発明に係る他の携帯機器用ストラップに使用するリングを示す図である。
【符号の説明】
４…ストラップ本体
５…円形リング
２６…ストラップ本体
２７…円形リング
３２…円形リング
４１…円形リング
【図１】
2004105420.tif 000003
【図２】
2004105420.tif 000004
【図３】
2004105420.tif 000005
【図４】
2004105420.tif 000006
【図５】
2004105420.tif 000007
【図６】
2004105420.tif 000008